【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
産業用自動化システムであって、
リードバック設備を有する、ファウンデーションフィールドバス出力（ＤＯ）機能ブロックを含む第１のフィールドデバイス（３４，３６，３８，４０）を備え、
前記第１のフィールドデバイス（３４，３６，３８，４０）は、
設定点を実行する命令を受け、
前記第１のフィールドデバイス（３４，３６，３８，４０）の外部環境に関連する望ましくない状況が発生した時点を検出し、
前記望ましくない状況が検出された場合、前記第１のフィールドデバイス（３４，３６，３８，４０）が前記設定点を実行することを停止するために、手動、アウトオブサービス、又はローカルオーバライドモードに自動的に切り替え、
ファウンデーションフィールドバス出力（ＤＯ）機能ブロックのＢＫＣＡＬ＿ＯＵＴパラメータを使用してサブステータスコード／カテゴリを送ることにより、前記望ましくない状況の発生を示すように構成され、
前記産業用自動化システムはさらに、前記第１のフィールドデバイス（３４，３６，３８，４０）に通信可能に接続する産業用コントローラ（３０）を備え、
前記産業用コントローラ（３０）は、
前記第１のフィールドデバイス（３４，３６，３８，４０）に前記設定点を送り、
前記第１のフィールドデバイス（３４，３６，３８，４０）から前記サブステータスコード／カテゴリを受け取り、
前記サブステータスコード／カテゴリに少なくとも部分的に基づいて前記産業用自動化システムの動作を調整するように構成される、システム。
【請求項２】
前記第１のフィールドデバイス（３４，３６，３８，４０）は、ファウンデーションフィールドバスフィールドデバイスを備える、請求項１記載のシステム。
【請求項３】
前記ファウンデーションフィールドバス出力（ＤＯ）機能ブロックは、ファウンデーションフィールドバスデジタル出力（ＤＯ）機能ブロック、ファウンデーションフィールドアナログ出力（ＡＯ）機能ブロック、又はその組合せを備える、請求項１または２記載のシステム。
【請求項４】
前記リードバック設備は、前記望ましくない状況を指示するように構成されるフォールト状態アクティブサブステータスコード／カテゴリを含む、請求項３記載のシステム。
【請求項５】
前記フォールト状態アクティブサブステータスコード／カテゴリは、前記ファウンデーションフィールドバスデジタル出力（ＤＯ）機能ブロック、前記ファウンデーションフィールドアナログ出力（ＡＯ）機能ブロック、又はその組合せのＢＫＣＡＬ＿ＯＵＴパラメータからパブリッシュ／サブスクライブプロトコルによって送信されるように構成される、請求項４記載のシステム。
【請求項６】
前記第１のフィールドデバイス（３４，３６，３８，４０）は、前記ファウンデーションフィールドバスデジタル出力（ＤＯ）機能ブロック、前記ファウンデーションフィールドアナログ出力（ＡＯ）機能ブロック、又はその組合せを手動、アウトオブサービス、又はローカルオーバライドモードに設定するように構成される、請求項３乃至５のいずれかに記載のシステム。
【請求項７】
前記第１のフィールドデバイス（３４，３６，３８，４０）は、入口及び出口を有する弁を備え、前記アクチュエータ（１１８）は前記入口と前記出口との間の流れを可能にするように構成される、請求項１乃至６のいずれかに記載のシステム。
【請求項８】
前記ポジショナ（１１６）は、直線運動をアクチュエータ（１１８）位置に変換するように構成されるリニアポジショナ（１１６）、回転運動を前記アクチュエータ（１１８）位置に変換するように構成されるロータリポジショナ、又はその組合せを備える、請求項１乃至７のいずれかに記載のシステム。
【請求項９】
前記産業用コントローラ（３０）は、前記望ましくない状況に基づいて第２のフィールドデバイスを制御するように構成され、前記第２のフィールドデバイスは、前記第１のフィールドデバイス（３４，３６，３８，４０）のために冗長動作を提供するように構成される、請求項１乃至８のいずれかに記載のシステム。
【請求項１０】
前記第１のフィールドデバイス（３４，３６，３８，４０）を示すプレースホルダを有するコミッショニングシステムを備え、前記コミッショニングシステムは、前記プレースホルダを使用して、前記第１のフィールドデバイス（３４，３６，３８，４０）をコミッショニングするように構成される、請求項１乃至９のいずれかに記載のシステム。
【請求項１１】
ガスタービンシステム、ガス化システム、蒸気タービンシステム、風力タービンシステム、水力タービンシステム、発電システム、又はその任意の組合せを備える産業用制御システムである、請求項１乃至１０のいずれかに記載のシステム。
【請求項１２】
方法であって、
フィールドデバイス（３４，３６，３８，４０）のプロセッサが、前記フィールドデバイス（３４，３６，３８，４０）の外部環境に関連するを望ましくない状況が発生したかを特定し、前記望ましくない状況が発生した時点を特定すること、
前記プロセッサが、前記第１のフィールドデバイス（３４，３６，３８，４０）が産業用コントローラ（３０）の制御機能ブロックから受け取った設定点を実行することを停止するために、手動、アウトオブサービス、又はローカルオーバライドモードに自動的に切り替えるように前記第１のフィールドデバイス（３４，３６，３８，４０）を指示すること、
前記プロセッサが、前記望ましくない状況の発生を示す第１のサブステータスコード／カテゴリを特定すること、
前記プロセッサが、ファウンデーションフィールドバス出力（ＤＯ）機能ブロックのＢＫＣＡＬ＿ＯＵＴパラメータを使用して前記第１のサブステータスコード／カテゴリを前記制御機能ブロックに送ることにより、前記制御機能ブロックが、前記サブステータスコード／カテゴリに少なくとも部分的に基づいて前記第１のフィールドデバイス（３４，３６，３８，４０）を含む産業用自動化システムの動作を調整することを可能にすることを含む、方法。
【請求項１３】
前記フィールドデバイス（３４，３６，３８，４０）は、ガスタービンシステム、ガス化システム、蒸気タービンシステム、風力タービンシステム、水力タービンシステム、発電システム、又はその任意の組合せを備える産業用制御システム内に含まれる、請求項１２記載の方法。
【請求項１４】
フィールデバイスのプロセッサ（１４，３２，５２，５４，８０，８２，８４，８６）によって実行可能な複数の命令を格納する非一時的で有形のコンピュータ可読媒体であって、前記命令は、
前記フィールドデバイス（３４，３６，３８，４０）の外部環境に関連するを望ましくない状況が発生したか否かを決定する命令と、
前記望ましくない状況が発生したか時点を決定する命令と、
前記フィールドデバイス（３４，３６，３８，４０）が産業用コントローラ（３０）の制御機能ブロックから受け取った設定点を実行することを停止するために、手動、アウトオブサービス、又はローカルオーバライドモードに自動的に切り替えるように前記フィールドデバイス（３４，３６，３８，４０）を指示する命令と、
前記望ましくない状況の発生を示すサブステータスコード／カテゴリを特定する命令と、
ファウンデーションフィールドバス出力（ＤＯ）機能ブロックのＢＫＣＡＬ＿ＯＵＴパラメータを使用して前記サブステータスコード／カテゴリを前記制御機能ブロックに送ることにより、前記制御機能ブロックが、前記サブステータスコード／カテゴリに少なくとも部分的に基づいて前記フィールドデバイス（３４，３６，３８，４０）を含む産業用自動化システムの動作を調整することを可能にする命令とを含む、非一時的で有形のコンピュータ可読媒体。